(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、上部分割側壁及び下部分割側壁に形成された係合部材５０の挿入片５０ｂが、はね上げ側壁に形成された嵌合部材６０内において、嵌合部材の横幅方向に移動することができるように構成したものである。【効果】箱型に組み立てられた折り畳みコンテナーが変形した場合や、はね上げ側壁、上部分割側壁及び下部分割側壁に負荷が加わり、はね上げ側壁、上部分割側壁及び下部分割側壁が変位した場合にも、係合部材の挿入片が損傷するようなことがない。【選択図】図６
2004161309.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、上部分割側壁及び下部分割側壁に形成された係合部材の挿入片が、はね上げ側壁に形成された嵌合部材内において、嵌合部材の横幅方向に移動することができるように構成されていることを特徴とする折り畳みコンテナー。
【請求項２】
上部分割側壁及び下部分割側壁の係合部材付近に位置する側部垂直土手部に形成された隔壁室には、上部分割側壁及び下部分割側壁の平板部より、外側方向に引っ込んだ隔壁が形成されていることを特徴とする請求項１に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図７〜図１０を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図７に示されている箱型状態の折り畳みコンテナーの略垂直状のはね上げ側壁３を、折り畳みコンテナーの内部方向に回動させて、図８に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図９に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
上部分割側壁４’及び下部分割側壁４”（以下、便宜的に、単に、側壁ともいう。）の左右方向の端側４ａには、端側４ａを、内側に延長することにより形成された、側壁４’、４”の内壁面４ｂに垂直な突片５ａと、突片５ａの先端から、内壁面４ｂに略平行な挿入片５ｂとからなる係合部材５が、それぞれ、１個ずつ形成されている。一方、はね上げ側壁３の左右方向の端部には、はね上げ側壁３の一部を、外側から内側方向に凹ますことにより形成された凹部６ａを有する嵌合部材６が、上部分割側壁４’及び下部分割側壁４”に形成された係合部材５に対応して２個形成されている。
【０００６】
折り畳まれた状態の折り畳みコンテナーを、箱型に組み立てる際には、上述したように、上部分割側壁４’と下部分割側壁４”が、互いに略面一になるように略垂直に立てられた後、はね上げ側壁３を、略水平状態から垂直方向に回動させることになるが、はね上げ側壁３が略垂直に回動された時点で、はね上げ側壁３に形成された嵌合部材６の凹部６ａに、上部分割側壁４’及び下部分割側壁４”に形成された係合部材５の挿入片５ｂが挿入されるように構成されている。このように構成することにより、箱型への組み立て作業の際に、はね上げ側壁３の位置決めを行うことができるとともに、上部分割側壁４’及び下部分割側壁４”に上方や側方から負荷が加わった際に、上部分割側壁４’及び下部分割側壁４”が、外側に膨出するようなことを防止することができる。
【０００７】
上述したような構成を有する折り畳みコンテナーは、実用新案登録番号第２５００３３４号公報や特開２００１−５５２２８号公報等に開示されている。
【０００８】
【発明が解決しようとする課題】
折り畳みコンテナーが、箱型に組み立てられた際には、上述したように、はね上げ側壁３に形成された嵌合部材６の凹部６ａに、上部分割側壁４’及び下部分割側壁４”に形成された係合部材５の挿入片５ｂが挿入されているが、上述した従来の折り畳みコンテナーにおいては、係合部材５の挿入片５ｂと嵌合部材６の凹部６ａの内壁面６ａ１との間の間隙が少ないために、箱型に組み立てられた折り畳みコンテナーが変形した場合や、はね上げ側壁３、上部分割側壁４’及び下部分割側壁４”に負荷が加わり、はね上げ側壁３、上部分割側壁４’及び下部分割側壁４”が変位した場合に、係合部材５の挿入片５ｂが損傷するという問題があった。
【０００９】
また、上部分割側壁４’及び下部分割側壁４”の左右方向の端側４ａの内壁面４ｂからの距離が長いために、端側４ａが損傷し易いという問題があった。
【００１０】
本発明の目的は、上述した従来の折り畳みコンテナーが有する課題を解決することにある。
【００１１】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、第１には、上部分割側壁及び下部分割側壁に形成された係合部材の挿入片が、はね上げ側壁に形成された嵌合部材内において、嵌合部材の横幅方向に移動することができるように構成したものであり、第２には、上部分割側壁及び下部分割側壁の係合部材付近に位置する側部垂直土手部に形成された隔壁室に、上部分割側壁及び下部分割側壁の平板部より、外側方向に引っ込んだ隔壁を形成したものである。
【００１２】
【実施例】
以下に、本発明の実施例について説明するが、本発明の趣旨を越えない限り何ら、本実施例に限定されるものではない。
【００１３】
折り畳みコンテナーは、上述した従来の折り畳みコンテナーと同様に、上部フレーム１と、底部２と、上部フレーム１にその上端部がヒンジ連結された、折り畳みコンテナーの内側方向に回動可能に構成されたはね上げ側壁３と、上部分割側壁４’と下部分割側壁４”とからなる分割側壁４とから構成されている。
【００１４】
以下に、分割側壁４を構成する上部分割側壁４’と下部分割側壁４”とに形成された、上述した従来の折り畳みコンテナーの係合部材５に相当する係合部材５０について説明するが、上部分割側壁４’と下部分割側壁４”とは、実質的に同じ構成を有しているとともに、上部分割側壁４’に形成されている係合部材５０と、下部分割側壁４”に形成されている係合部材５０とも、同じ構成を有しているので、以下においては、下部分割側壁４”に形成されている係合部材５０についてのみ、主として、図４及び図５を用いて説明する。
【００１５】
下部分割側壁４”は、横長の長方形状の平板部４０と、平板部４０の両側部に形成された、外側に膨出する側部垂直土手部４１を有しており、側部垂直土手部４１は、平板部４０の側部両端から、外側方向に略垂直に延在する内側壁部４１ａと、内側壁部４１ａの先端から、平板部４０に略平行に延在する前面水平部４１ｂと、前面水平部４１ｂの先端から、内側に延在する端側壁部４１ｃとから構成されている。
【００１６】
側部垂直土手部４１を構成する端側壁部４１ｃの一部を、端側壁部４１ｃと面一に内側方向に延在することにより、突片５０ａが形成されており、突片５０ａの先端には、前面水平部４１ｂに略平行な挿入片５０ｂが形成されており、突片５０ａと挿入片５０ｂとにより係合部材５０が構成されている。
【００１７】
係合部材５０付近に位置する側部垂直土手部４１の前面水平部４１ｂには、略中央部に、平板部４０と略平行な隔壁７０ａを有する隔壁室７０が形成されている。隔壁室７０は、側部垂直土手部４１を構成する外側壁部４１ｃと、外側壁部４１ｃと相対する側壁７０ｂと、天板７０ｃと、底板７０ｄとにより構成されており、また、隔壁７０ａは、平板部４０より、外側に引っ込ん位置しており、隔壁７０ａの内面７０ａ１と平板部４０の内面４０ａの延長面との間には、所定の間隙Ｄ１が形成されている。
【００１８】
はね上げ側壁３は、略方形状の平板部３０と、平板部３０の両側部に形成された、外側に膨出する側部垂直土手部３１とを有しており、側部垂直土手部３１は、平板部３０の側部両端から、外側方向に略垂直に延在する内側壁部３１ａと、内側壁部３１ａの先端から、平板部３０に略平行に延在する前面水平部３１ｂと、前面水平部３１ｂの先端から、内側に延在する端側壁部３１ｃとから構成されている。
【００１９】
はね上げ側壁３の端側壁部３１ｃに隣接する前面水平部３１ｂには、前面水平部３１ｂの一部を、外側から内側方向に凹ますことにより形成された凹部６０ａを有する嵌合部材６０が形成されている。嵌合部材６０の凹部６０ａの横幅Ｗは、凹部６０ａに挿入される、下部分割側壁４”に形成された係合部材５０の挿入片５０ｂが、嵌合部材６０の凹部６０ａの横幅Ｗ方向に自由に移動可能な幅に形成されている。例えば、嵌合部材６０の凹部６０ａの横幅Ｗは、下部分割側壁４”に形成された隔壁室７０を構成する隔壁７０ａの内面７０ａ１と、係合部材５０を構成する挿入片５０ｂの内面５０ｂ１との間隙Ｄ２と、略同じに形成されている。
【００２０】
上述したように、折り畳みコンテナーが、箱型に組み立てられた際には、はね上げ側壁３に形成された嵌合部材６０の凹部６０ａに、上部分割側壁４’及び下部分割側壁４”に形成された係合部材５０の挿入片５０ｂが挿入されているが、上部分割側壁４’及び下部分割側壁４”に形成された係合部材５０の挿入片５０ｂが、はね上げ側壁３に形成された嵌合部材６０の凹部６０ａ内において、従来の折り畳みコンテナーに比べて、嵌合部材６０の凹部６０ａの横幅Ｗ方向に自由に移動することができるので、箱型に組み立てられた折り畳みコンテナーが変形した場合や、はね上げ側壁３、上部分割側壁４’及び下部分割側壁４”に負荷が加わり、はね上げ側壁３、上部分割側壁４’及び下部分割側壁４”が変位した場合にも、係合部材５０の挿入片５０ｂが損傷するようなことがない。
【００２１】
また、上部分割側壁４’及び下部分割側壁４”の係合部材５０付近に位置する側部垂直土手部４１の前面水平部４１ｂに形成された隔壁室７０には、平板部４０より、外側方向に引っ込ん位置に隔壁７０ａが形成されているので、上部分割側壁４’及び下部分割側壁４”の端側壁部４１ｃの強度が向上し、従って、端側壁部４１ｃが損傷するようなことがない。
【００２２】
【発明の効果】
本発明は、以上説明したように構成されているので、以下に記載されるような効果を奏する。
【００２３】
上部分割側壁及び下部分割側壁に形成された係合部材の挿入片が、はね上げ側壁に形成された嵌合部材内において、嵌合部材の横幅方向に移動することができるように構成されているので、箱型に組み立てられた折り畳みコンテナーが変形した場合や、はね上げ側壁、上部分割側壁及び下部分割側壁に負荷が加わり、はね上げ側壁、上部分割側壁及び下部分割側壁が変位した場合にも、係合部材の挿入片が損傷するようなことがない。
【００２４】
上部分割側壁及び下部分割側壁の係合部材付近に位置する側部垂直土手部に形成された隔壁室に、上部分割側壁及び下部分割側壁の平板部より、外側方向に引っ込んだ隔壁が形成されているので、上部分割側壁及び下部分割側壁の端側壁部の強度が向上し、従って、端側壁部が損傷するようなことがない。
【図面の簡単な説明】
【図１】図１は箱型に組み立てられた状態の本発明の折り畳みコンテナーの斜視図である。
【図２】図２は折り畳み途中或いは組み立て途中の本発明の折り畳みコンテナーの斜視図である。
【図３】図３は折り畳まれた状態の本発明の折り畳みコンテナーの斜視図である。
【図４】図４は箱型に組み立てられた状態の本発明の折り畳みコンテナーの分割側壁の外側からの部分拡大斜視図である。
【図５】図５は箱型に組み立てられた状態の本発明の折り畳みコンテナーの分割側壁の内側からの部分拡大斜視図である。
【図６】図６は箱型に組み立てられた状態の本発明の折り畳みコンテナーの分割側壁とはね上げ側壁の部分水平断面図である。
【図７】図７は箱型に組み立てられた状態の従来の折り畳みコンテナーの斜視図である。
【図８】図８は折り畳み途中或いは組み立て途中の従来の折り畳みコンテナーの斜視図である。
【図９】図９は折り畳まれた状態の従来の折り畳みコンテナーの斜視図である。
【図１０】図１０は箱型に組み立てられた状態の従来の折り畳みコンテナーの分割側壁とはね上げ側壁の部分水平断面図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
４０・・・・・・・平板部
４１・・・・・・・側部垂直土手部
５０・・・・・・・係合部材
６０・・・・・・・嵌合部材
６０ａ・・・・・・凹部
７０・・・・・・・隔壁室
７０ａ・・・・・・隔壁
【図１】
2004161309.tif 000003
【図２】
2004161309.tif 000004
【図３】
2004161309.tif 000005
【図４】
2004161309.tif 000006
【図５】
2004161309.tif 000007
【図６】
2004161309.tif 000008
【図７】
2004161309.tif 000009
【図８】
2004161309.tif 000010
【図９】
2004161309.tif 000011
【図１０】
2004161309.tif 000012